(57)【要約】【課題】  ペットボトルから飲料水を注ぐ際に、水はねせずにスムーズに注ぐことを可能にするとともに、雑菌などの繁殖の虞がなく衛生的且つ安全に使用することが可能なペットボトルの提供。【解決手段】  注ぎ口１２からボトル内側の壁面内側に通路を形成する筒状部形成部材を取り付けることによって、注ぎ口１２から空気だまりに空気を供給する空気取り入れ通路１４を形成してなる【選択図】        図１
0003120093.tif 000002
【実用新案登録請求の範囲】
【請求項１】
傾けた際に内部に収容されている飲料水が傾くことにより内側上部に空気溜まりが形成されるペットボトルであって、
注ぎ口からボトル内側の壁面内側に通路を形成する筒状部形成部材を取り付けることによって、注ぎ口から前記空気だまりに空気を供給する空気取り入れ通路を形成してなることを特徴とするペットボトル。
【請求項２】
傾けた際に内部に収容されている飲料水が傾くことにより内側上部に空気溜まりが形成されるペットボトルであって、
注ぎ口からボトル内側の壁面内側に通路を形成する筒状部形成部材を取り付けることによって、注ぎ口から前記空気溜まりに空気を供給する空気取り入れ通路を形成し、該空気取り入れ通路の空気溜まりに面する開口部を、末拡がり状に形成したことを特徴とするペットボトル。
【請求項３】
傾けた際に内部に収容されている飲料水が傾くことにより内側上部に空気溜まりが形成されるペットボトルであって、
注ぎ口からボトル内側の壁面内側に通路を形成する筒状部形成部材を取り付けることによって、注ぎ口から前記空気溜まりに空気を供給する空気取り入れ通路を形成し、該筒状部形成部材は、注ぎ口の内側に取り付けられる部分を平らに形成したことを特徴とするペットボトル。
【考案の詳細な説明】
【技術分野】
【０００１】
本考案は、ペットボトルから飲料水を注ぐ際に、ボトルの内側と外側の圧力差による飲料水のはねを防止し、スムーズに飲料水を注ぐことが可能なペットボトルに関する。
【背景技術】
【０００２】
近年、飲料水の容器として、輸送時の便利さ、割れにくさなどから、瓶に代わってポリエチレンテレフタレート製のペットボトルが大いに普及している。その一方、ペットボトル内の飲料水をコップに注ぐ際は、ボトルの内部側と外側との圧力差によって飲料水が逆流するため流出量が大きく変化し、この結果、飲料水をスムーズに注ぐことができないことを余儀なくされている。特に、炭酸飲料などは、逆流することで泡立ちが増加し、跳ねなどによって周囲を汚すことも多かった。
このような注水時の問題を解決するために、特開2002-249138号公報記載の発明が提案されている。同公報記載の発明は、ペットボトルを傾けた際に生じる内部の空隙（空気溜まり）と、注ぎ口との間を管で接続し、飲料水の注入時に空気をボトル内部に導入することによって、飲料水をスムーズに注ぐことを可能とするものである。
【特許文献１】特開2003−64874号公報
【考案の開示】
【考案が解決しようとする課題】
【０００３】
しかしながら、前述した特許文献１記載の発明は、ペットボトルの注ぎ口に、着脱自在な止め具を有しているために、繰り返し使用した場合、止め具に汚れなどが付着し、雑菌が繁殖するなど衛生面で問題が生じる虞があった。また、特許文献１記載の発明は空気を取り入れを止め具に取り付けた管（ストロー）を空気取り入れ用の部材として使用しているために、ペットボトルの傾斜角度や傾けるスピードによっては内部に取り入れられる空気量が不足し、飲料水をスムーズに注ぐことができない場合もある。
さらに、特許文献１の発明は、注ぎ口に嵌め込んだ状態で使用するようになっており、ボトル本体には接着されていないために破損し易く、それに伴う誤飲などの事故が起こることも考えられる。
【０００４】
本考案は、このような諸事情に対処するために提案されたものであって、ペットボトルから飲料水を注ぐ際に、水はねせずにスムーズに注ぐことを可能にするとともに、雑菌などの繁殖の虞がなく衛生的且つ安全に使用することが可能なペットボトルを提供することを目的とする。
【課題を解決するための手段】
【０００５】
上記目的を達成するために、請求項１記載の考案は、傾けた際に内部に収容されている飲料水が傾くことにより内側上部に空気溜まりが形成されるペットボトルであって、注ぎ口からボトル内側の壁面内側に通路を形成する筒状部形成部材を取り付けることによって、注ぎ口から前記空気だまりに空気を供給する空気取り入れ通路を形成してなることを特徴とする。
【０００６】
請求項２記載の考案は、傾けた際に内部に収容されている飲料水が傾くことにより内側上部に空気溜まりが形成されるペットボトルであって、注ぎ口からボトル内側の壁面内側に通路を形成する筒状部形成部材を取り付けることによって、注ぎ口から前記空気溜まりに空気を供給する空気取り入れ通路を形成し、該空気取り入れ通路の空気溜まりに面する開口部を、末拡がり状に形成したことを特徴とする。
【０００７】
請求項３記載の考案は、傾けた際に内部に収容されている飲料水が傾くことにより内側上部に空気溜まりが形成されるペットボトルであって、注ぎ口からボトル内側の壁面内側に通路を形成する筒状部形成部材を取り付けることによって、注ぎ口から前記空気溜まりに空気を供給する空気取り入れ通路を形成し、該筒状部形成部材は、注ぎ口の内側に取り付けられる部分を平らに形成したことを特徴としている。
【考案の効果】
【０００８】
上述のように、請求項１〜３記載の考案によれば、注ぎ口からボトル内側の壁面内側に通路を形成する筒状部形成部材を取り付けることによって、注ぎ口からボトル内の空気だまりに空気を供給する空気取り入れ通路を形成している。このため、注水時に注ぎ口から流れである注水量を一定化することができるとともに、逆流したりすることなく、スムーズに飲料水を注ぐことが可能である。また、壁面の内側に予め、空気取り入れ通路を形成する筒状部形成部材を取り付けているので、衛生的且つ安全に使用することができる。
【０００９】
特に、請求項２記載の考案によれば、空気取り入れ通路の空気溜まりに面する開口部を、末拡がり状に形成しているので、空気溜まりに面する部分が拡大しているために、傾ける方向に多少狂いが生じたとしても、空気溜まりへ確実に空気を導入することができる。また、飲料水の注水時に空気溜まりへの空気の取り込みをスムーズに行うことが可能である。
【００１０】
特に、請求項３記載の考案によれば、筒状部形成部材の注ぎ口の部分に取り付けられる部分を平らに形成している。このため、飲料水の製造工場にて飲料水をペットボトルにボトリングする際に、空気取り入れ通路が邪魔にならず、スムーズに飲料水を注入することが可能である。
【考案を実施するための最良の形態】
【００１１】
以下、本考案に係るペットボトルについて添付図面を参照して説明する。図１は本考案の一つの実施形態に係るペットボトルの概略斜視図、図２は本実施形態に係るペットボトルの概略側面図、図３はペットボトルを傾けた状態を示す側面図、図４は本実施形態に係るペットボトルの平面図、図５は本実施形態に係るペットボトルの正面図、図６は本実施形態に係るペットボトルの要部断面図である。
【００１２】
図１及び図２に示されるように、本実施形態のペットボトル１０は、その注ぎ口１２の部分に、空気取り入れ通路１４を設けている。図４〜図６に示されるように、空気取り入れ通路１４は、その断面形状が、上方の注ぎ口１２の部分に取り付けられる部分が平らで、下方の斜めの部分が略半円弧状に形成され、筒状部形成部材１６を注ぎ口１２の部分からボトル内側の壁面内側に沿ってカーブした状態で取り付けることにより形成されている。このように、筒状部形成部材１６の注ぎ口１２付近の形状を平らにすることにより、飲料水をボトリングする際に、空気取り入れ通路１４が邪魔にならず、スムーズに飲料水をペットボトル１０に注入することができるようになっている。
【００１３】
筒状部形成部材１６の壁面への取付方法としては、筒状部形成部材１６を溶着するなどが考えられる。また、空気取り入れ通路１４を形成する筒状部形成部材は、ペットボトルと同一の材料であるポリエチレンテレフタレートを利用する、或いは、壁面への取付に適した別の材料を利用することが可能である。
【００１４】
コップなどにペットボトル１０内の飲料水を注ぐ場合には、ペットボトル１０を傾けるが、その際、飲料水Ａも同時に傾斜し、図３に示されるように、ボトルの上部の部分に空気溜まりＢが生じる。空気取り入れ通路１４の下部の開口部１４Ａは、空気溜まりＢに対して開口しており、ボトル１０の注ぎ口１２の取り入れ口１４Ｂから空気を導入し、空気取り入れ通路１４を通じて空気溜まりＢへ空気を導入することができるようになっている。これによって、ボトル１０内部の圧力を、外側の圧力に近づけ、内部に収容されている飲料水を一定の注水量でスムーズに注ぎ口１２からコップなどに注ぐことが可能である。
【００１５】
次に、本発明に係るペットボトルの他の実施形態につき説明する。図７は、他の実施形態に係るペットボトルの側面図、図８は他の実施形態に係るペットボトルの平面図、図９は他の実施形態に係るペットボトルの正面図、図１０は他の実施形態に係るペットボトルの要部断面図である。なお、前述した図１〜図６の実施形態と同一部分については同一の符号を付し、詳細な説明を省略する。
【００１６】
図７〜図１０に示されるペットボトル２０は、前述した実施形態のペットボトル１０と、空気取り入れ通路２２の形状が相違している。具体的には、図７〜図１０に示されるように、空気取り入れ通路２２を形成する筒状部形成部材２４を正面から見て略扇形状の部材を用いており、このため、空気取り入れ通路２２は、ボトル２０の空気溜まりＢに面する開口部２２Ａが末拡がり状となるように形成している。このため、飲料水の注水時に空気溜まりＢへの空気の取り込みをスムーズに行うことができ、ボトル内部を一定の圧力に保持することができ、注ぎ口１２からの流出量を一定にすることができる。また、ペットボトル２０を傾けた際に、空気溜まりＢに面する部分が拡大しているために、空気溜まりＢに面する開口部２２Ａが広くなり、傾ける方向に多少狂いが生じたとしても、空気溜まりＢへ確実に空気を導入することができる。
【００１７】
なお、以上の実施形態では、空気取り入れ通路を、ペットボトルに一つだけ設けているが、これに限らず、複数の空気取り入れ通路を取り付けるようにしてもよい。
【００１８】
以上のように、本実施形態によれば、ペットボトルから、よりスムーズに一定の流出量で、飲料水を注ぐことが可能となり、飲料水が跳ねたりすることを防止することが可能となる。このため、炭酸飲料などの場合は、泡立ちなどを抑制しながら注ぐことができる利点を有する。
【産業上の利用可能性】
【００１９】
以上説明したように、本考案によれば、ペットボトルから飲料水を注ぐ際に、水跳ねせずにスムーズに注ぐことが可能である。また、空気取り入れ通路は、予めペットボトルに取り付けられているために、従来の着脱式のものと比較して、雑菌などの繁殖の虞がなく衛生的に使用することが可能である。また、誤飲などの心配もなく、安全に使用することができる。
【図面の簡単な説明】
【００２０】
【図１】本考案の一つの実施形態に係るペットボトルの概略斜視図である。
【図２】同じく、本実施形態に係るペットボトルの概略側面図である。
【図３】同じく、本実施形態に係るペットボトルを傾けた状態を示す側面図である。
【図４】同じく、本実施形態に係るペットボトルの平面図である。
【図５】同じく、本実施形態に係るペットボトルの正面図である。
【図６】同じく、本実施形態に係るペットボトルの要部断面図である。
【図７】他の実施形態に係るペットボトルの側面図である。
【図８】同じく、他の実施形態に係るペットボトルの平面図である。
【図９】同じく、他の実施形態に係るペットボトルの正面図である。
【図１０】同じく、他の実施形態に係るペットボトルの要部断面図である。
【符号の説明】
【００２１】
１０  ペットボトル
１２  注ぎ口
１４  空気取り入れ通路
１４Ａ  開口部
１４Ｂ  取り入れ口
１６  筒状部形成部材
２０  ペットボトル
２２  空気取り入れ通路
２２Ａ  開口部
２４  筒状部形成部材
【図１】
0003120093.tif 000003
【図２】
0003120093.tif 000004
【図３】
0003120093.tif 000005
【図４】
0003120093.tif 000006
【図５】
0003120093.tif 000007
【図６】
0003120093.tif 000008
【図７】
0003120093.tif 000009
【図８】
0003120093.tif 000010
【図９】
0003120093.tif 000011
【図１０】
0003120093.tif 000012